(57)【特許請求の範囲】
【請求項１】
それぞれ異なる横断面（４）を有する試料容器（３）の開口部（２）のためのユニバーサル閉鎖装置（１）であって、
閉鎖装置（１）が、長手軸（５）の方向に互いに離隔した端部領域（７、８）を備えた、長手軸（５）の方向に延びるシャフト部分（６）と、
閉鎖すべき試料容器（３）の、長手軸（５）へ向いた内側の、好ましくはほぼ円筒状に形成された側表面（１１）に添接するための、シャフト部分（６）の外表面（９）の領域内に配置された複数のシール部材（１２、１６）と、
を有しており、
シャフト部分（６）に配置されたシール部材（１２、１６）が、周平面内およびシャフト（６）の周方向に相前後して配置されている、
ものにおいて、
シール部材（１２、１６）とシャフト部分（６）の外表面（９）との間に、その間に延びる少なくとも１つの支持部材（３１、３３）が配置されている、
ことを特徴とするそれぞれ異なる横断面を有する、試料容器の開口部のためのユニバーサル閉鎖装置。
【請求項２】
支持部材（３１、３３）が、シール部材（１２、１６）の、シャフト部分（６）のヘッド部分（１０）へ向いた側に配置されている、ことを特徴とする請求項１に記載の閉鎖装置（１）。
【請求項３】
支持部材（３１、３３）が、径方向において、シャフト部分（６）の外表面（９）とシール部材（１２、１６）の外端縁領域（１５、１９）との間のほぼ中央まで延びている、ことを特徴とする請求項１または２に記載の閉鎖装置（１）。
【請求項４】
支持部材（３１、３３）が、リブ形状またはウェブ形状に形成されており、かつ横断面減少部（３２）を備えた部分を有している、ことを特徴とする請求項１から３のいずれか１項に記載の閉鎖装置（１）。
【請求項５】
横断面減少部（３２）が、支持部材（３１、３３）内へ延びる溝（３７）によって形成されており、かつ溝（３７）を側方で画成する溝面（３８）が、支持部材（３１、３３）の外表面に対して傾斜して方向づけされている、ことを特徴とする請求項４に記載の閉鎖装置（１）。
【請求項６】
周方向に相前後して配置されたシール部材（１２、１６）が、開口部（２）の外部にある初期位置において直接並んで配置されており、かつ、周方向に相前後して配置されたシール部材（１２、１６）が、試料容器（３）の開口部（２）内へ挿入された閉鎖位置において、この閉鎖位置において開口部（２）の少なくとも液密の閉鎖を達成するために、接触し、あるいは少なくとも領域的に重なり合う、ことを特徴とする請求項１から５のいずれか１項に記載の閉鎖装置（１）。
【請求項７】
シャフト部分（６）の周方向に相前後して配置された第１のシール部材（１２）が、ヘッド部分（１０）とは逆の端部領域（８）に直接隣接して配置されている、ことを特徴とする請求項１から６のいずれか１項に記載の閉鎖装置（１）。
【請求項８】
シャフト部分（６）の周方向に相前後して配置された第２のシール部材（１６）が、第１のシール部材（１２）とヘッド部分（１０）の間に配置されている、ことを特徴とする請求項１から７のいずれか１項に記載の閉鎖装置（１）。
【請求項９】
周方向に相前後して配置されたシール部材（１２、１６）が、開口部（２）の外部にある初期位置において、少なくとも領域的に互いに離隔している、ことを特徴とする請求項１から８のいずれか１項に記載の閉鎖装置（１）。
【請求項１０】
シール部材（１２、１６）が、円環部分によって形成されており、前記円環部分が好ましくは、シャフト部分（６）のほぼ半周にわたって延びている、ことを特徴とする請求項１から９のいずれか１項に記載の閉鎖装置（１）。
【請求項１１】
それぞれ周方向に相前後して配置されたシール部材（１２、１６）が、それぞれ同様に、シャフト部分（６）から始まってヘッド部分（１０）の方向へ向かって円錐台の表面の様に拡がっている、ことを特徴とする請求項１から１０のいずれか１項に記載の閉鎖装置（１）。
【請求項１２】
それぞれ周方向に相前後して配置されたシール部材（１２、１６）によって形成される円錐角（１３、１７）が、
７０°の下限と１７８°の上限を有する、選択された領域から選択されている、
ことを特徴とする請求項１１に記載の閉鎖装置（１）。
【請求項１３】
周方向に相前後して配置され、かつ互いに直接隣接して配置されたシール部材（１２、１６）の間に少なくとも１つのギャップ（１４、１８）が形成されており、かつギャップ（１４、１８）がシール部材（１２、１６）の、試料容器（３）の内側の側表面（１１）へ向いた端縁領域（１５、１９）から始まって、シャフト部分（６）の方向へ延びている、ことを特徴とする請求項１から１２のいずれか１項に記載の閉鎖装置（１）。
【請求項１４】
ギャップ（１４、１８）が、シール部材（１２、１６）の外端縁領域（１５、１９）からシャフト部分（６）の外表面（９）までの間につながって延びている、ことを特徴とする請求項１３に記載の閉鎖装置（１）。
【請求項１５】
シール部材（１２，１６）の互いに向き合い、かつ隣接して配置された、ギャップ（１４、１８）を画成する端面（４０、４１）が、長手軸（５）に垂直な方向から見て、長手軸（５）に対して傾斜して方向づけされている、ことを特徴とする請求項１３または１４に記載の閉鎖装置（１）。
【発明の詳細な説明】
【技術分野】
【０００１】
本発明は、請求項１の前文に記載されているような、それぞれ異なる横断面を有する試料容器の開口部のためのユニバーサル閉鎖装置に関する。
【背景技術】
【０００２】
特許文献１からは、それぞれ異なる横断面を有する試料容器の開口部内へ挿入することができる、ユニバーサル閉鎖装置が知られている。閉鎖装置は、長手軸の方向に互いに離隔した端部領域を備えた、長手軸の方向に延びるシャフト部分と、シャフトの外表面の領域内に配置された、閉鎖すべき試料容器の、長手軸へ向いた内側の、好ましくはほぼ円筒状に形成された外側面に添接するための、複数のシール部材およびヘッド部分を有している。ヘッド部分とは逆の側において、シャフトには、周平面内にシャフトの周方向にそれぞれ複数の相前後して、かつ互いに分離された第１のシール部材が配置されている。第１のシール部材は、開口部の外部における初期位置においては、直接並んで配置されており、開口部内へ挿入された閉鎖位置においては、開口部の少なくとも液密の閉鎖を達成するために、互いに接触し、あるいは少なくとも領域的に互いに重なり合う。その場合の欠点は、すべての適用場合において、資料容器内へ挿入された位置において閉鎖線の完璧な保持が達成できないことであった。
【０００３】
特許文献２ないし特許文献３からは、たとえばねじ孔のような、開口部内へ挿入するための部分を有する閉鎖栓が知られており、それは、シャフト部分とそれに配置されて、それを越えて径方向に張り出す突出部とを有している。その場合に、２つの突出部は、シャフトの長手方向に互いに離隔して配置されている。突出部の終端縁は、互いに対向する２つの間隙を別にして、シャフトの軸に関して円形である。その場合にシャフトは、ヘッド部分の方向に後方へ向かって細くなっている。従って突出部は、後方へ向かってコンパクトに折り返すことができるので、栓は、互いに対して異なる直径を有する開口部内へぴったりと嵌まる。その場合に、より大きい外側寸法を有する突出部は、ボディの周りに非連続的に形成されている。このようにして、突出部はリブに対してそれを中断することなく、より強く変形することができる。その場合に突出部の間の間隙は、突出部の少なくとも一部が閉鎖すべき開口部の壁に接触することを保証するために、開口部が不規則な場合でも、突出部の間に大きすぎるギャップが存在しないように、選択されている。その場合に２つの突出部の間のギャップは、内側へ向かって狭くなるように形成されている。２つの突出部の間に画成されるギャップは、突出部が後方へ折り返された場合に、突出部の隣接する端縁が接触しないように、成形されている。そのことが、後方へ折り返す際に隣接する突出部が、一方が他方の上へくることがないことを保証するので、可能な限り小さい開口部への適合も可能である。
【０００４】
特許文献４は、外ねじを有するパイプなどをその組み込み前に内部の汚れに対して保護するための、ねじボディを記述している。その場合にねじボディは、ねじ係合するために可撓性の薄板を有しており、その薄板がパイプのねじ開口部内へ栓のように圧入されて、少しねじることによってそのヘッドシール面が引き締められる。ねじボディのシャフト部分に、薄板が互いに平行な円上に配置されている。個々の薄板には、個々の薄板部分を形成するために、薄板隙間が設けられおり、その薄板部分は、ねじボディをナットねじ内へ圧入する際に困難なしでナットねじに適合することができ、かつその長さ全体にわたって多かれ少なかれ強くねじりながら個々にナットねじのねじ内へ進入することができる、その場合に、この目的のために薄板隙間は、薄板部分またはセクターの長さと、ほぼ同じ大きさにすると、好ましいことが明らかにされている。薄板部分またはセクターは、それぞれ２つの９０°にわたって延びる薄板とその間に配置された９０°の隙間の円グループによって形成することができる。シャフト部分の長手方向に隣接する円グループは、全体として周面全体が薄板によって占められるように、相互に変位している。可撓性の薄板の他の形成は、薄板がねじボディのシャフト部分上の接続ねじのピッチとリードを有するねじラインに沿って配置されるように、選択されている。
【０００５】
特許文献５は、たとえばパイプのような、円筒状の構成部分のねじ端部内へ挿入するための保護キャップを記述している。保護キャップのシャフト部分に、周面にわたって分配されて、複数の相前後する、かつ互いに分離されたリブ部材が配置されており、それらがシャフト部分を径方向に越えて外側へ張り出している。周方向に相前後して配置された、個々の薄板形状のリブの間に、間隙が設けられており、その間隙によってリブが周方向に互いに離隔して配置されている。閉鎖栓を挿入する場合に、これらのリブがねじと係合して、そこに、意図されない抜け落ちに対する保持部材を形成する。
【０００６】
特許文献６に記載の様々な閉鎖装置は、閉鎖装置の取扱いを実施することができるようにするために、閉鎖された端部とそれとは逆の側のヘッド部分とを備えたシャフトを有している。試料容器の様々な横断面を閉鎖することができるようにするために、長手軸の方向においてシャフト部分にそれぞれ複数の、周面にわたってつながったシール部材が配置されており、かつ互いに離隔している。これらは、互いに対して異なる外側寸法を有し、その場合にシール部材の少なくとも１つは、それが挿入された状態において、試料容器の開口部の然るべき密閉をもたらす。その場合に、個々のシール部材は、周面にわたってつながったシールリップとして形成されている。その場合に、すべての適用場合において、異なる開口幅を有する試料容器の十分な閉鎖が得られるわけではない。
【０００７】
特許文献７からは、ハウジングのねじ内へ挿入するための、弾性的な材料、特にプラスチック、からなる閉鎖ボディが知られている。その場合にこれは、好ましくは円筒状の部分を有し、その部分の周面側に、ねじと協働するための、少なくとも２つの一周する、径方向へ向いたウェブが設けられている。円筒状の部分の端部に、さらに、ねじ孔を画成するハウジング壁の端面に添接するための、フランジ状に形成されたヘッド部分が設けられている。径方向を向いたウェブは、ねじの外径にほぼ相当する外径を有しており、かつ互いに対して、ねじピッチの少なくともほぼ半分を加えた、ねじピッチの１倍または整数倍に相当する分割間隔で、配置されている。それによって、ねじの内部で相互の付勢が得られ、それによって閉鎖ボディの良好な固定が得られる。しかし、径方向を向いたウェブは、ねじの推移に従って弦巻状の形成も有することができ、かつそれぞれ互いに近づくように張り出す端部に長手軸の方向に互いに対して変位して配置することができる。その場合に唯一のウェブ形状の保持部材は、周面にわたってつながって形成されている。
【０００８】
特許文献８は、ほぼ円筒状に形成されたシャフト部分とヘッド部分とを有する、ビンの開口部内へ挿入するための注ぎ口の形式の閉鎖装置を記述している。シャフト部分に、長手軸の方向に互いに離隔して複数の、周面にわたってつながって形成されたシールリップが配置されており、それらが互いに対して異なる外側寸法を有している。その場合に、すべての適用場合において、様々な開口幅を有する試料容器の十分な閉鎖が得られるわけではない。
【０００９】
特許文献９に記載のユニバーサル閉鎖装置は、互いに異なる開口断面を有する試料容器を閉鎖するために用いられ、長手軸の方向にそれぞれ段付きで細くなるシャフト部分とヘッド部分とを有している。段付きのシャフト部分に、それぞれヘッド部分から減少する横断面を有する、それぞれ一周する、つながったリング形状のシールリップが配置されている。それぞれヘッド部分とは逆の、段部に配置されたシールリップは、比較的小さい直径を有する開口部内へ取り付ける際に、ヘッド部分として用いられ、従って試料容器の端面に添接する。ヘッド部分は、径方向に互いに離隔した２つのパイプ形状の構成部分を有しており、それらの間に補強リブが延びている。最も外側の構成部分の外周領域は、グリップを改良するためにローレット加工した表面を有している。閉鎖装置を試料容器内へ挿入する際に圧縮された空気を排気するために、この閉鎖装置は、端面に配置された開口部を有している。この閉鎖装置における欠点は、試料容器の異なる断面開口部を密閉するための、大きい組み込み長さである。
【００１０】
特許文献１０に記載の栓は、小パイプ、ビンなどに挿入するために用いられ、ヘッド部分とシャフト部分およびそれに配置されたシール部材を有している。個々のシール部材は、シャフトの長手方向に互いに離隔して配置されており、環状に形成されたシールスリーブとして形成されており、それが周面にわたってつながって形成されている。その場合に、シールスリーブは、その外周において、シャフトの近傍におけるよりも少ない材料厚みを有することができる。その場合に、すべての適用場合において、異なる開口幅を有する試料容器の十分な閉鎖が得られるわけではない。
【００１１】
特許文献１１に記載の他の閉鎖装置は、ディスク形状のヘッド部分とそれに連続するシャフト部分とを有している。シャフト部分の外表面に、シャフトの長手軸の方向に互いに離隔して、外周面にわたってつながって延びるリングリップが配置されており、そららは、試料容器の閉鎖すべき開口部に添接するために設けられている。密閉は、開口部内へ挿入する間にリングリップが弾性変形することによって行われる。この挿入運動は、軸断面で見て乗り上げ面が傾斜していることによって、容易にすることができる。その場合に、それぞれ異なる横断面を有する開口部の確実な閉鎖は、すべての適用場合において得られるわけではない。
【００１２】
これまで知られている閉鎖装置においては、開口部を後から再び閉鎖するために、閉鎖装置が使用されるのが普通であって、その閉鎖装置は、閉鎖すべき開口部の大きさに従って選択されている。その場合に、シール部材は、シャフト部分に、その長手軸の方向に互いに離隔して、かつ周面にわたってつながって形成されたシール部材を有しており、そのシール部材が、閉鎖すべき開口部内へ挿入する際に、密閉する閉鎖を形成する。これは、まさに、自動的な試料分析の領域においては、高いロジスティックコストを表す。
【先行技術文献】
【特許文献】
【００１３】
【特許文献１】国際公開パンフレットWO2007/068011A1
【特許文献２】独国公開公報DE4417998A1
【特許文献３】英国特許公報GB2278112A
【特許文献４】独国公開公報DE3108225A1
【特許文献５】米国特許公報US4553567A
【特許文献６】英国特許公報GB1111656A
【特許文献７】独国公開公報DE3939092A1
【特許文献８】英国特許公報GB943533A
【特許文献９】国際公開パンフレットWO1998/21109A
【特許文献１０】独国特許公報DE958989C
【特許文献１１】スイス国特許出願CH320255A
【発明の概要】
【発明が解決しようとする課題】
【００１４】
本発明の課題は、予め定めることのできる寸法限界内で試料容器内の確実な保持を保証し、かつこの位置において閉鎖装置が試料容器内に収容された液体の流出を阻止する、それぞれ異なる横断面を有する試料容器の開口部のためのユニバーサル閉鎖装置を提供することである。
【課題を解決するための手段】
【００１５】
本発明のこの課題は、シール部材とシャフトの外表面との間に、その間に延びる少なくとも１つの支持部材が配置されていることによって、解決される。
【００１６】
請求項１の特徴から得られる利点は、そのようにして試料容器のすべての横断面寸法ないし直径領域において、ユニバーサル閉鎖装置の確実な保持を得ることができることにある。まさに、開口部の中くらいの直径において、試料容器の内壁へ向かうシール部材の、ほぼ径方向へ向けられた押圧力がもたらされ、それによってこの駆動状態においても閉鎖装置が押し出されることが、確実に阻止される。それによってシール部材の自由な曲げ長さが短縮されて、それによってシール部材ないし試料容器の次のような、すなわち径方向に作用する押圧力が圧倒し、その場合に変形されたシール部材による軸力が発生しないか、あるいはわずかな程度で作用する、相対位置が得られる。さらに、支持部材は、比較的大きい開口横断面を有する試料容器において、個々のシール部材の剛性が付加的に向上し、それによって変形抵抗およびそれに伴って構築された保持力が高まる、という利点ももたらす。
【００１７】
さらに、請求項２に記載の形態も、効果的である。というのは、支持部材は、挿入された状態において押圧力を供給されて、まさに、比較的小さい開口断面を有する試料容器内の駆動位置において、互いに対して変位されたシール部材の確実な重なり配置も得られるからである。
【００１８】
請求項３に記載の形態において、まさに中くらいの直径領域内で、構築された圧力およびそれと結びついたユニバーサル閉鎖装置の保持力の正確な決定が得られることが、効果的である。
【００１９】
請求項４に記載の他の実施形態も、効果的である。というのは、支持部材の横断面に従って、減少された横断面に関して、まさにより大きい変形のために、屈曲すべき箇所ないし破断すべき箇所が形成されるからである。それによって、各閉鎖プロセスのために、最適な保持力を得る、ないしは決定することができる。
【００２０】
請求項５に記載の他の実施形態によれば、支持部材の方向付けされた分断とそれに伴って支持部材の重なり合った位置が得られ、それによってシール部材が著しく変形する場合に、変形に対して阻止がなされない。
【００２１】
請求項６に記載されるような形態も、効果的である。というのは、ここではシール部材は、閉鎖装置のシャフト部分の周面に相前後して配置されており、かつ、互いに分離された配置によって、閉鎖装置の挿入運動の間、直接隣接するシール部材の間で相互の相対変位を行うことができるからである。すなわち、一方で、互いに異なる横断面寸法を有する複数の開口部を、唯一の閉鎖装置によって閉鎖することが可能であり、他方では、閉鎖位置における閉鎖装置の確実な取付け、ないし十分な保持を得ることが、可能である。その場合に形成される中間室によって、それがきわめて小さく形成されている場合でも、閉鎖プロセスの間に圧縮された空気のための通過開口部が形成され、空気は、試料容器内の中身試料と挿入された閉鎖装置との間の内部空間から逃げる。それによってさらに、開口部からの閉鎖装置の意図されない押し出しが阻止される。さらにそれによって、閉鎖位置において、シール部材による開口部の流出しない、あるいは特に液密の閉鎖が得られ、試料容器が倒れた場合に中身試料の流出は、特にそれが、体液、特に血液または他の細胞成分のような液体によって形成されている場合に、阻止される。さらにまた、試料を処分するまで保管する間も、ごみや他の粒子の侵入が阻止される。
【００２２】
さらに、請求項７に記載の形態が効果的である。というのは、それによって、試料容器の側表面に対して密閉するように閉鎖されている場合に、挿入運動の間にすでに、圧縮された空気を逃がすための可能性が形成されるからである。
【００２３】
請求項８に記載の形態において、それによって閉鎖すべき開口部内の閉鎖装置のより良好な相対的位置固定が保証され、それによってエッジが固着し、それに伴って可能な非密閉性が阻止されることが、効果的である。
【００２４】
請求項９に記載の他の実施形態も効果的である。というのは、それによって挿入運動の進行において個々のシール部材の間の空気のさらに確実な通過が保証されるからである。
【００２５】
請求項１０に記載の形態によって、簡単に形成すべき閉鎖装置が提供されることが、可能であって、それは射出成形方法によってプラスチックから形成することができる。
【００２６】
請求項１１または１２に記載の他の実施変形例によれば、開口部内への閉鎖装置の挿入運動が容易にされ、付加的に、個々のシール部材の間の相互の相対変位が支援される。
【００２７】
請求項１３または１４に記載の展開も、効果的である。というのは、それによって一方で、シール部材の特性を、他方では、直接並べて配置された個々のシール部材の、閉鎖位置ないし挿入位置における可能な重なり距離を、決定することができるからである。
【００２８】
そして、請求項１５に記載の展開によって、簡単に形成されるシール部材が得られ、それにおいて、それぞれ挿入位置ないし閉鎖位置における変形の程度ないし強さに従って、それにもかかわらず、周方向に相前後して配置された個々のシール部材の確実な重なりが得られる。
【００２９】
本発明をさらに良く理解するために、以下の図を用いて本発明を詳細に説明する。
【００３０】
図は、それぞれ著しく簡略化された表示で示されている。
【図面の簡単な説明】
【００３１】
【図１】複数のシール部材を有する、本発明に係る閉鎖装置を簡略化して示す斜視図である。
【図２】図１に示す閉鎖装置を、簡略化して示す斜視図である。
【図３】図１と２に示す閉鎖装置を、試料容器内へ挿入する前に示す断面図である。
【図４】図１から３に示す閉鎖装置の上面図である。
【図５】支持部材の他の可能な形態を拡大して示す断面図である。
【図６】支持部材の領域内の横断面減少部の可能な形態を、図５のVI−VI線に従って示す断面図である。
【図７】支持部材の領域内の横断面減少部の他の実施形態を、図５のVI−VI線に従って示す断面図である。
【発明を実施するための形態】
【００３２】
始めに記録しておくが、異なるように記述される実施形態において、同一の部分には同一の参照符号ないし同一の部品名称が設けられ、その場合に説明全体に含まれる開示は、同一の参照符号ないし同一の部品名称を有する同一の部分へ意味に従って移し替えることができる。また、説明において選択された、たとえば上、下、側方などのような、位置記載は、直接説明され、かつ図示されている図に関するものであって、位置が変化した場合には意味に従って新しい位置へ移し替えられる。さらに、図示され、かつ説明された様々な実施例に基づく個別特徴または特徴の組合せは、それ自体自立した、進歩的あるいは発明に基づく解決を表すことができる。
【００３３】
具体的な説明における値領域についてのすべての記載は、それらが任意の値領域とすべての値領域を一緒に含んでいるものであり、たとえば１から１０という記載は、下限の１と上限の１０から始まるすべての部分領域、すなわち下限の１以上から始まり、上限の１０以下で終わるすべての部分領域、たとえば１から１．７、または３．２から８．１あるいは５．５から１０、が一緒に含まれていると考えるべきである。
【００３４】
図１から４には、それぞれ異なる横断面４を有する試料容器３の開口部２のためのユニバーサル閉鎖装置１が示されている。その場合に、ユニバーサル閉鎖装置１は、様々な試料容器３内へ挿入することができ、その場合にこれらの試料容器３は、互いに対してそれぞれその大きさにおいて異なる開口部２とそれに応じた横断面４を有している。
【００３５】
たとえば採血管などの場合がそうであるように、円形に形成されている試料容器３においては、これらは、８ｍｍ、好ましくは１１ｍｍの下限と、１８ｍｍ、好ましくは１４ｍｍの上限とを有する内側断面ないし内径を有することができる。それぞれ選択された試料容器３に応じて、選択された断面４に関係なく、開口部２を閉鎖するために、常に同一のユニバーサル閉鎖装置１を使用することができる。本発明に係るユニバーサル閉鎖装置１は、通常、密閉するシール栓と少なくとも１つの突き通し可能なシール栓を有する閉鎖装置が、試料を取り出すために試料容器３の開口部２から取り外されて、次に、さらに保管するためにユニバーサル閉鎖装置１が、開口部２を閉鎖するために挿入される場合に、用いられる。以下で説明する閉鎖装置１はすべて、試料の保存期間の間、開口部２を少なくとも流出しないように、特に液密に、閉鎖することを保証するために、用いられる。従って、多数の異なる内断面４のために、唯一の閉鎖装置１のみを使用することは、効果的である。というのは、試料容器３の閉鎖すべき開口部２の大きさに関係なく、常に所定の限界内で同一のユニバーサル閉鎖装置１が使用できるからである。流出しないようにというのは、ここでは、閉鎖装置１が少なくとも開口部２を、後にさらに詳細に説明するシール部材１２、１６の間および／またはシール部材１２、１６と試料容器３の、開口部２を画成する内側の表面１１との間に最小の毛管間隙が開放して残るように、閉鎖することである。これは、閉鎖装置１を試料容器３内へ接合する際に、圧縮された空気が逃げることができる、という利点を有している。そうでないと、栓は、試料容器３が完全に満たされた場合に再び開口部２から飛びだしてしまう。しかし、それによってさらに、比較的長い期間にわたって保管する場合に、万一蒸気が生じても、逃げることができる。しかし、この毛管間隙は、水性の液体が表面張力に基づいて圧力供給なしで通り抜けることができないように、小さく形成される。試料容器３を振ったり、あるいは逆さにした場合には、液体が流出し得ることは、まったくもって可能である。
【００３６】
ここに示す閉鎖装置１は、長手軸５の方向に互いに離隔した端部領域７、８を備えた、長手軸５の方向に延びるシャフト部分６を有している。シャフト部分６は、さらに、２つの互いに離隔した端部領域７、８の間に、外側の表面９を有している。閉鎖装置１は、第１の端部領域７の領域内に、さらにヘッド部分１０を有しており、そのヘッド部分が閉鎖装置１を取り扱うために用いられる。
【００３７】
試料容器３は、その内部空間の領域内において、長手軸５へ向いた側に、少なくとも閉鎖装置１が挿入される領域内に、好ましくはほぼ円筒状に形成された側表面１１を有している。
【００３８】
ここに図示されるこの実施例において、シャフト部分６には、ヘッド部分１０とは逆の側に、シャフト６の周方向に互いに分離された複数の第１のシール部材１２が配置されている。個々の第１のシール部材１２は、周方向に相前後して、かつ好ましくは同一の平面内に配置されている。その場合に、個々に図示されている第１のシール部座１２は、周面にわたって分配されて、好ましくは直接並ぶように、配置されており、たとえば円環部分によって形成することができる。この実施例においては、同一の平面内に２つの第１のシール部材１２が設けられている。その場合に、図１と２から簡単に見られるように、第１のシール部材１２は、開口部の外部にある初期位置において、少なくとも領域的に互いに離隔して配置することができる。シャフト６は、前もって簡単に説明したように、２つの互いに離隔した端部領域７、８を有しており、その場合にここに示すこの実施例において、第１のシール部材１２は、ヘッド部分１０とは逆の端部領域８に直接隣接して配置されている。
【００３９】
さらに、第１のシール部材１２は、シャフト部分６から始まってヘッド部分１０の方向へ向かって、円錐台形状に延びる共通のエンベロープ面内に配置することができる。すなわち、第１のシール部材１２によって形成される円錐角度１３は、７０°、好ましくは９０°、特に１００°、好ましくは１２０°の下限と、１７８°、好ましくは１７０°、特に１５０°、好ましくは１４０°の上限を有する選択された領域から選択することができる。
【００４０】
互いに直接隣接する第１のシール部材１２の間に、少なくとも１つの第１のギャップ１４が形成されており、その場合にギャップ１４は、試料容器の内側の側表面１１へ向けることのできる、第１のシール部材１２の端縁領域１５から始まって、シャフト６の方向へ延びている。その場合に、第１のギャップ１４が、第１のシール部材１２の外側の端縁領域１５からシャフト部分６の外表面９までつながって延びることも、可能である。
【００４１】
さらに、閉鎖装置１は、第１のシール部材１２に加えて他のシール部材１６を有しており、それが同様にシャフト６に配置されている。この他のシール部材１６は、長手軸５の方向に見て、ヘッド部分１０と第１のシール部材１２の間においてシャフト部分６に配置されている。その場合に、他のシール部材１６は、その前に第１のシール部材において説明したように、円環部分によって形成することもできる。すなわち同様に、他のシール部材１６は、第１のシール部材１２と同様に、シャフト部分６から始まってヘッド部分１０の方向へ向かって円錐台形状に拡幅して形成することができ、その場合に１つないし複数の他のシール部材１６によって形成される円錐角１７は、７０°、好ましくは９０°、特に１００°、好ましくは１２０°の下限と、１７８°、好ましくは１７０°、特に１５０°、好ましくは１４０°の上限を有する、選択された領域から選択することができる。
【００４２】
さらに、他のシール部材１６内に、それを貫通する少なくとも１つの他のギャップ１８が配置されており、他のギャップ１８が試料容器３の内側の側表面１１を向いた端縁領域１９からシャフト６の方向へ向かって延びることも、可能である。その場合に、他のギャップ１８は、他のシール部材１６の外端縁領域１９からシャフト６の外表面９までつながって延びるように形成することもできる。さらに、第１と第２のギャップ１４、１８の少なくとも個々のものが、長手軸５の方向に見て互いに整合するように、すなわち相前後して、シール部材１２、１６の領域内に配置されていると、好ましいことが明らかにされている。その場合に、互いに直接隣接し合うシール部材１２ないし１６の間のギャップ１４、１８は、０ｍｍの下限と１．５ｍｍの上限をもった幅２０を有することができる。しかし同様に、ギャップ１４、１６の幅２０が、その長さ方向の延びにわたって、端縁領域１５ないし１９から始まってシャフト部分６ないし外側表面９まで、異なるように形成されていることも、可能であろう。しかしそれとは関係なく、１つまたは両方のギャップ１４、１８の幅２０が、その長手方向の延びにわたって、シール部材１２，１６の外端縁領域１５、１９から始まってシャフト６の外表面９の方向に常に減少するように形成されていることも、可能であろう。
【００４３】
閉鎖装置１が試料容器３の開口部２内へ挿入されている場合に、個々のシール部材１２および／または１６の互いに対する相互の相対変位が行われ、少なくとも最初は互いに分離されていたシール部材１２、１６がギャップ１４、１８の領域内で互いに添接し、あるいはまた少なくとも領域的に重なり合うことができる。その場合にこの位置が、いわゆる挿入位置と称される。
【００４４】
図１、３および４を一緒に見ると一番よくわかるように、ヘッド部分１０は、ディスク形状に形成されて、長手軸５に対して垂直に方向づけされたベース部分２１と、シャフト部分６とは逆の方向にベース部分２１を越えて張り出す、パイプ形状の端縁部分２２とを有している。パイプ形状に形成された端縁部分２２は、ベース部分２１の外周面に配置されて、好ましくはそれと一体的に、ないしは材料結合で、結合されている。さらに、閉鎖装置１のグリップ性を改良するために、パイプ形状の端縁部分２２の外周面に、リブおよび／または凹部を配置することが、可能である。好ましくはリブ、ウェブないし凹部は、長手軸５に対して平行に延びている。
【００４５】
さらに、ベース部分２１内に、長手軸５の領域内かつそれに対して同心に凹部２３を配置することができ、その場合にこの凹部２３は、長手軸５の方向に見て少なくとも領域的にシャフト部分６内へ延びることができる。それぞれシャフト部分６の寸法設計と材料選択に従って、このシャフト部分は中実材料から、ないしはパイプ形状に形成することもできる。これは、少なくとも十分な密閉性（液密および／または気密）を持たなければならない。その場合に、シャフト６の材料選択ないし寸法選択が液密および／または気密である場合に、シール部材１２、１６も、その外端縁領域１５、１９および重なり領域がギャップ１４、１８の部分内で試料容器３と共に密閉機能性をもたらすように、形成される。
【００４６】
さらに、パイプ形状の突出部２４がベース部分２１に配置され、特にそれと結合されており、その中心軸２５がベース部分２１ないし突出部６の長手軸５に対して整合するように方向付けされていることが、可能である。それによって、シャフト部分６ないしベース部分２１内に配置された凹部２３に関して、パイプ形状の突出部２４の中央の配置が得られる。その場合にパイプ形状の突出部２４は、ベース部分２１内の凹部２３の周領域内に配置されるように、形成することができる。すなわち、パイプ形状の突出部２４は、ベース部分２１内の凹部２３の内側断面にほぼないしは正確に相当する、内側断面を有することができる。パイプ形状の突出部２４が、自動的取扱い装置内に収容するために使用される場合に、パイプ形状の突出部２４が、長手軸５へ向いた内側表面において少なくとも領域的に、ほぼ円筒状に形成された第１のセンタリング面２６によって画成されており、このセンタリング面２６ないしパイプ形状の突出部２４の中心軸２５が、長手軸５に対して平行かつ整合するように方向づけされていると、効果的である。しかしさらに、凹部２３も、ほぼ円筒状に形成された他のセンタリング面２７によって画成することができ、その場合にその中心軸２５は同様に長手軸５に対して平行かつ整合して方向付けされている。ここには詳しく図示されていないセンタリング収容部ないしセンタリングボルトを、パイプ形状の突出部２４ないしベース部分２１内の凹部２３内へ挿入することができるようにするために、少なくともセンタリング面２６が、長手軸とは逆の側へ拡幅された、たとえばアールまたは斜角面のような、導入面を有していると、効果的である。
【００４７】
ベース部分２１を補強するために、ベース部分の、シャフト部分６とは逆の側に、少なくとも１つ、しかし好ましくは複数のリブ２８を配置することができる。その場合にリブ２８は、パイプ形状の端縁部分２２とパイプ形状の突出部２４の互いに向き合った側の間につながって延びるように配置することができる。しかし好ましくは、リブ２８は、パイプ形状の端縁部分２２から始まって長手軸５の方向へ延びるように方向づけされており、それによってほぼ中心の、ないしは星形の配置が得られる。
【００４８】
長手軸５の方向に見た、パイプ形状の端縁部分２２の高さ２９は、長手軸５に対して垂直に方向付けされた平面内で、ヘッド部分１０ないしベース部分２１の外側の横断面寸法３０に関して、８％、好ましくは１０％、特に１２％、好ましくは１８％の下限と１００％、好ましくは５０％、特に３０％、好ましくは２５％の上限とを有する、選択された領域から選択されている。
【００４９】
シャフト部分６は、ヘッド部分１０とは逆の端部領域８内で、シャフト部分６に配置されたシール部材１２に対してほぼ平面的に形成することができ、その場合にこれは、終端部を、それが軸断面で見て長手軸５に関して凸状に湾曲し、かつ／または球状かつ／または円錐状に形成することができることに関係なく、有することもできる。しかしさらに、シャフト部分６も、ヘッド部分１０とは逆の側において、第１のシール部材１２を越えて張り出すこともできる。それぞれその端部領域８におけるシャフト部分６の形成に応じて、試料容器３の開口部２内への閉鎖装置１の接合プロセスを容易にすることができる。
【００５０】
さらに、シール部材１２、１６の互いに向き合い、かつ隣接して配置されて、ギャップ１４、１８を画成する端面４０、４１が、垂直方向に長手軸５を見る視点において、長手軸５に関して傾斜して方向付けされていることも、可能である。ここで傾斜しているというのは、端面４０、４１がシール部材１２、１６の表面に対して斜めに方向付けされており、従って、直接相前後して隣接して配置されているシール部材１２、１６を方向付けして重ねあわせるための案内面の形式の斜面を形成する、ということである。これは、図２から最もよくわかる。
【００５１】
図１から３を一緒に見ると最も良くわかるように、ここに示す実施例において、第１のシール部材１２とシャフト部分６の外表面９との間および、他のシール部材１６も設けられている場合に、それとシャフト部分６の外表面９との間に、その間に延びる少なくとも１つの支持部材３１が配置され、ないしは設けられている。
【００５２】
その場合に支持部材３１は、好ましくは、シャフト部分６のヘッド部分１０も支持する端部領域７へ向けられており、かつシール部材１２／１６からシャフト部分６へ延びている。支持部材３１は、１つまたは複数のシール部材１２、１６とも、シャフト部分とも結合されており、特にそれに一体的に形成されている。しかし、支持部材３１は、それとは逆の側に配置することもできる。その場合にここに図示される１つまたは複数の支持部材３１は、リブ形状に形成されており、１つまたは複数のシール部材１２、１６とシャフト部分６との間の補強部材を形成する。ここにはさらに、支持部材３１が径方向に見て、シャフト部分６の外表面９とシール部材１２、１６の外側の端縁領域１５、１９との間のほぼ中央ないし半分の長さまで延びていることが、示されている。それによって、一方で、シール部材１２、１６を、その自由な曲げ長さにおいて、シャフト部分６の外表面９と外側の端縁領域１５、１９との間で短縮し、他方ではある程度残っている径方向の距離を自由な曲げ部材とする、可能性が提供される。
【００５３】
さらに、支持部材３１の両方のリブ面の部分に、横断面減少部３２を設けることも、可能である。この横断面減少部３２については、後にさらに詳しく説明する。横断面減少部３２は、支持部材３１の強度ないし剛性を正確に定めることができるようにするために、用いられるものである。従って支持部材３１は、その長手方向の広がりの方向に、従ってその側面に対して平行な方向に、予め定められた圧縮力および／または引っ張り力を吸収することができ、その場合にこれを上回る力が加わった場合に、支持部材３１は横断面減少部３２の領域内でその強度を失って、折れ曲がるだけか、あるいは分断もされる。この横断面減少部３２は、破断すべき箇所ないし屈曲すべき箇所を形成するために用いられる。
【００５４】
すでに説明したように、ユニバーサル閉鎖装置１は、試料容器３の多数の異なる横断面のために使用することができるものである。付加的な支持部材３１を配置することによって、たとえば１０ｍｍと１３ｍｍの間、特に１１ｍｍから１２ｍｍの、まさに試料容器１の中くらいの横断面ないし直径領域において、ここでも試料容器３に対するユニバーサル閉鎖装置１の完璧な保持ないし固定を得ることが、可能になる。
【００５５】
閉鎖装置１が、比較的大きい横断面と約１３から１８ｍｍの直径を有する試料容器１内に挿入される場合に、シール部材１２、１６のわずかな変形のみがもたらされる。その場合に、試料容器３の開口部２の流出することのない、特に液密の閉鎖が行われるだけでなく、それは、シール部材１２、１６を介して閉鎖部材１を試料容器３に良好に保持ないし固定することももたらす。
【００５６】
たとえば８ｍｍと９ｍｍの間の、比較的小さい開口横断面を有する試料容器３の場合に、シール部材１２、１６は著しく変形して、シール部材１２、１６の互いに向き合った端部の領域内でそれらが大面積で重なり合い、かつ、分断されない場合に、１つまたは複数の支持部材３１が少なくとも変形する。変形は、横断面減少部３２の領域内で行うことができる。
【００５７】
ここに図示されるこの実施例において、２つのシール部材１２、１６は円環の部分として形成されており、周方向の延びのほぼ半分にわたって延びている。
【００５８】
付加的な支持部材３１の配置を省いた場合には、１１ｍｍから１２ｍｍまでの中くらいの開口部を有する試料容器３内へ閉鎖装置１を挿入した場合に、シール部材１２ないし１６の変形がもたらされ、その場合にシール部材はそれぞれ、約９０°の大きさを有する円錐角１３ないし１７を形成する。それによって、閉鎖装置１は、助力なしでは、試料容器３の開口部２から自動的に押し出されることがある。
【００５９】
それに対して支持部材３１が設けられている場合には、シール部材１２が支持部材３１の径方向の端部領域まで補強され、シール部材１２、１６のわずかな部分のみがより強く変形し、それによって軸方向のわずかな成分を有する、ほぼ径方向へ向けられた押圧力が形成される。
【００６０】
図５には、閉鎖装置１の他の、場合によってはそれ自体自立した実施形態、特にシール部材１２、１６とシャフト部分６の間のその支持部材３１が、示されており、その場合にここでも、先行する図１から４に使用されたのと、同一の部分には同一の参照符号ないし部品名称が使用される。不必要な繰り返しを避けるために、先行する図１から４の詳細な説明が指示され、ないしは参照される。
【００６１】
ここに示される支持部材３３は、ウェブ形状に形成されており、上述した支持部材３１と同様に、シール部材１２ないし１６とシャフト部分６の外表面９との間に延びている。ここでも、閉鎖装置１の、支持部材３３ないし３１に連続する構成部分との支持部材３３の固定の結合が存在する。ここに示される支持部材３３がどちらかと言うとフラットプロフィール状に形成されていることによって、シール部材１２、１６とシャフト部分６の外表面９の直接接続される領域内に、自由空間が形成される。その他において、ここに示される支持部材３３の作用は、すでに説明した支持部材３１と同様である。同様に、ここでも、簡単に示すように、１つまたは複数の条溝ないし溝の形式の、上述した横断面減少部３２を設けることができる。
【００６２】
図６には、支持部材３３における横断面減少部３２の可能な形成が、断面で示されている。フラットプロフィール状に形成された支持部材３３は、厚み３４を有しており、その場合に支持部材３３のフラット側ないし外表面３５から始まって溝状の凹部３６が横断面内へ延びている。ここでは、溝状の凹部３６が両側で外表面３５の各々に設けられており、それらが直接対向して配置できることも、示されている。また、溝状の凹部３６を両方の外表面３５の領域内に、互いに変位して配置することも、可能であろう。２つの溝状の凹部３６の間には、厚み３４に比較してより小さい断面寸法を有する横断面減少部３２が残されている。
【００６３】
図７には、支持部材の１つ、この場合においては支持部材３３、に設けられた断面減少部３２の、他の可能な、場合によってはそれ自体自立した形成が示されており、その場合にここでも、先行する図１から６におけるのと同一の部分には同一の部品名称ないし参照符号が使用される。不必要な繰り返しを避けるために、先行する図１から６における詳細な説明が指摘され、ないしは参照される。
【００６４】
横断面減少部３２は、ここに図示される支持部材３３において、支持部材３３内へ延びる溝３７によって形成されており、その場合に溝３７は、それを側方で画成する溝面３８によって形成されている。その場合に、溝ないしそれを側方で画成する溝面３８は、支持部材３３の外表面３５に対して傾斜した方向において支持部材内へ延びている。溝底３９は、支持部材３３の外表面３５から離隔して配置されており、その場合に溝底３９とこの外表面３５のあいだには、支持部材３３の残った材料ないし物質によって、横断面減少部３２ないし支持部材３３の減少された横断面が残る。溝面３８を傾斜して配置することによって、図式的に記入された押圧力「F」をもって力が加わった場合に、減少された横断面の領域内の横断面減少部３２が剪断されて、それによって支持部材３３の残った２つの部分セクションが両方の溝面３８に添接し、さらに、斜めの滑り移動が、支持部材３３の部分セクションの然るべき相対変位をもたらす。それによって、小さい横断面を有する試料容器３においても、シャフト部分６ないし試料容器３に対するシール部座１２、１６の十分な変位運動が行われる。
【００６５】
その場合に、横断面減少部３２は、以上の様々な実施形態においてすべての支持部材３１、３３に適用することができることを、述べておく。その場合に実施形態の互いに対する任意の組合せにおいても、横断面減少部３２の多重配置も可能である。
【００６６】
実施例は、ユニバーサル閉鎖装置１の可能な実施変形例を示しており、その場合にここで述べておくが、本発明は、具体的に示された実施変形例のみに限定されるものではなく、むしろ個々の実施変形例の互いに対する様々な組合せも可能であり、この変形可能性は具体的発明による技術的取扱いのための教示に基づいて、この技術分野に従事する当業者の裁量の範囲内にある。従って図示され、かつ記載された実施変形例の個々の詳細を組み合わせることによって可能となる、すべての考え得る実施変形例も、保護範囲に一緒に含まれる。
【００６７】
最後に念のために指摘しておくが、ユニバーサル閉鎖装置１の構造をより良く理解するために、閉鎖装置ないしその構成部分は、部分的に寸法どおりでなく、かつ／または拡大かつ／または縮小して示されている。
【００６８】
自立した進歩的解決の基礎となる課題は、明細書から読み取ることができる。
【００６９】
特に、図１から４；５；６；７に示す個々の形態が、自立した発明に係る解決の対象を形成することができる。これに関する、発明に係る課題は、これらの図の詳細な説明から読み取ることができる。
【符号の説明】
【００７０】
１    閉鎖装置
２    開口部
３    試料容器
４    横断面
５    長手軸
６    シャフト部分
７    端部領域
８    端部領域
９    表面
１０    ヘッド部分
１１    側表面
１２    シール部材
１３    円錐角
１４    ギャップ
１５    端縁領域
１６    シール部材
１７    円錐角
１８    ギャップ
１９    端縁領域
２０    幅
２１    ベース部分
２２    端縁部分
２３    凹部
２４    突出部
２５    中心軸
２６    センタリング面
２７    センタリング面
２８    リブ
２９    高さ
３０    横断面寸法
３１    支持部材
３２    横断面減少部
３３    支持部材
３４    厚み
３５    表面
３６    凹部
３７    溝
３８    溝面
３９    溝底
４０    端面
４１    端面
【図１】
0005827345.tif 000002
【図２】
0005827345.tif 000003
【図３】
0005827345.tif 000004
【図４】
0005827345.tif 000005
【図５】
0005827345.tif 000006
【図６】
0005827345.tif 000007
【図７】
0005827345.tif 000008